(57)【要約】      （修正有）【課題】圃場で成長した玉葱の葉が条間に倒伏することによって生じる収穫作業の作業性低下を抑止するための玉葱葉切り機を提供する。【解決手段】玉葱葉切り機１は、玉葱の植え付け条方向に移動しながら、条間に倒伏した玉葱の葉を切断する作業機であって、複数条を跨いで接地することで機体１０を支持する接地輪３０と、条間方向に延設される駆動軸２０に装着され、条間に位置して移動方向に沿って縦回転する切断刃２１とを備える。【選択図】図１
2018174834.tif 000002
【特許請求の範囲】
【請求項１】
玉葱の植え付け条方向に移動しながら、条間に倒伏した玉葱の葉を切断する作業機であって、
複数条を跨いで接地することで機体を支持する接地輪と、
条間方向に延設される駆動軸に装着され、条間に位置して移動方向に沿って縦回転する切断刃とを備えることを特徴とする玉葱葉切り機。
【請求項２】
前記切断刃は、円盤形状であることを特徴とする請求項１記載の玉葱葉切り機。
【請求項３】
前記接地輪は、前記切断刃の地中への入り込み深さを調整するシリンダを介して前記機体に取り付けられていることを特徴とする請求項１又は２記載の玉葱葉切り機。
【発明の詳細な説明】
【技術分野】
【０００１】
本発明は、倒伏した玉葱の葉を圃場上で切断する玉葱葉切り機に関するものである。
【背景技術】
【０００２】
機械化された玉葱の収穫体系は、使用する作業機や作付け規模に応じて様々であるが、大規模農家で行われている収穫作業の一体系としては、根切り機による根切り作業、ディガーによる掘り取り作業、地干し後、ピッカーによる拾い上げ・コンテナ詰め作業（例えば、下記特許文献１参照）の順に行われている。そして、収穫後の調整作業として、運搬・集積されたコンテナ内の玉葱に対して、定置式タッパーを用いたタッピング・選別作業が行われている（下記特許文献２参照）。
【先行技術文献】
【特許文献】
【０００３】
【特許文献１】特開平１０−１１３０２５号公報
【特許文献２】特開平１１−８９３７２号公報
【発明の概要】
【発明が解決しようとする課題】
【０００４】
前述したような機械化収穫作業を行うために、玉葱は、４〜６条の複数条で１つの畝に植えられて、複数畝間にトラクタや作業機の車輪が通過するスペースが確保されて栽培されている。この際、畝内の条間は、数センチから数十センチに設定されているので、圃場で成長した玉葱の葉が条間に倒伏すると、隣接する条に植えられている玉葱の葉が互いに絡み合うことがある。このような葉の絡み合いは、特に、極早生など、葉の長い種に対して起こりやすく、このような絡みが生じると、その後に行われる拾い上げ作業やタッピング作業などで、個々の玉葱を独立して扱い難くなり、良好な作業性が得られなくなる問題があった。
【０００５】
本発明は、このような問題に対処することを課題とするものである。すなわち、本発明の課題は、圃場で成長した玉葱の葉が条間に倒伏することによって生じる収穫作業の作業性低下を抑止することにある。
【課題を解決するための手段】
【０００６】
このような課題を解決するために、本発明は、以下の構成を具備するものである。
玉葱の植え付け条方向に移動しながら、条間に倒伏した玉葱の葉を切断する作業機であって、複数条を跨いで接地することで機体を支持する接地輪と、条間方向に延設される駆動軸に装着され、条間に位置して移動方向に沿って縦回転する切断刃とを備えることを特徴とする玉葱葉切り機。
【発明の効果】
【０００７】
このような特徴を有する本発明によると、条方向に移動しながら、条間に倒伏した葉を切断刃が切断するので、圃場で成長した玉葱の葉が条間に倒伏した場合にも隣接する条に植えられた玉葱の葉との絡みを断つことができ、葉の絡みによる収穫作業の作業性低下を抑止することができる。
【図面の簡単な説明】
【０００８】
【図１】本発明の実施形態に係る玉葱葉切り機の斜視図である。
【図２】本発明の実施形態に係る玉葱葉切り機の平面図である。
【図３】本発明の実施形態に係る玉葱葉切り機の機能を示す説明図（（ａ）が正面図（ｂ）が側面図）である。
【発明を実施するための形態】
【０００９】
以下、図面を参照して本発明の実施形態を説明する。以下の説明で、異なる図における同一符号は同一機能の部位を示しており、各図における重複説明は適宜省略する。以下の説明では、トラクタ直装式の玉葱葉切り機を説明するが、これに限定されるものではなく、自走式などであってもよい。
【００１０】
図１及び図２において、玉葱葉切り機１は、トラクタＴの後部３点リンクに直装される機体１０を備えている。すなわち、機体１０は、トップリンクが装着されるマスト部１１Ａと左右のロアリンクが装着されるロアピン１１Ｂを備える装着枠１１と、機体枠１２と、左右のブラケット１３を備えている。
【００１１】
また、玉葱葉切り機１は、左右のブラケット１３に軸支された駆動軸２０を備えている。駆動軸２０は、条間方向（水平方向）に延設されており、単数又は複数の切断刃２１が装着されている。切断刃２１は、玉葱の植え付け条間に位置して、機体１０の移動方向に沿って縦回転する。駆動軸２０は、機体枠１２に支持される伝動部２２からの動力で回転駆動されるものであり、伝動部２２は、トラクタのＰＴＯからの動力がユニバーサルジョインなどを介して入力される入力軸２２Ａを備えている。
【００１２】
切断刃２１は、回転駆動されることで、条間に倒伏した玉葱の葉を切断する。切断刃２１の形態は、図示の例では、ディスク（円盤）状であり、外周に凹部が形成された菊型形状であるが、それに限らず、外周の凹部が無い平型形状や鋸刃型形状などであってもよい。
【００１３】
また、機体１０は、接地輪３０によって支持されている。接地輪３０は、複数条を跨いで圃場面に接地されることで、機体１０の後部を支持している。接地輪３０は、車輪枠３１に軸支されており、車輪枠３１は、Ｖ字状をなして、その一端がブラケット１３に軸支され、他端はシリンダ３２を介してブラケット１３の上部突起に支持されている。これにより、接地輪３０は、シリンダ３２を介して機体１０に取り付けられている。
【００１４】
シリンダ３２を伸縮させると、接地面に対する機体１０の高さが調整される。これにより、シリンダ３２を伸縮させることで、切断刃２１の地中への入り込み深さを調整することができる。
【００１５】
図３によって、玉葱葉切り機１の作業例を説明する。玉葱葉切り機１による葉切り作業は、収穫（掘り取り・拾い上げ）作業の前処理作業として、根切り機による根切り作業の前又は後に行われる。また、玉葱葉切り機１における機体１０のブラケット１３後方に、水平状の根切り刃を付加することで、根切り作業と同時に、玉葱葉切り機１による葉切り作業を行うことができる。
【００１６】
玉葱葉切り機１による葉切り作業は、図３（ａ）に示すように、複数条に玉葱Ｗが植えられた畝Ｐを跨ぐように接地輪３０を設置し、切断刃２１を条間に設置して、切断刃２１を回転駆動しながら機体１０を条方向に沿って移動させる。この際、切断刃２１の一部が畝Ｐの地中に入った状態にすることで、条間に倒伏した葉を効果的に切断することができる。切断刃２１の地中への入り込み深さは、前述したように、シリンダ３２の伸縮動作によって調整することができる。
【００１７】
このような玉葱葉切り機１を用いることで、畝上で成長した玉葱の葉が条間に倒伏した場合にも隣接する条に植えられた玉葱の葉との絡みを断つことができる。これによって、その後に行われる拾い上げ作業やタッピング作業を個別の玉葱が分離した状態で扱うことができ、葉の絡みによる収穫作業の作業性低下を抑止することができる。
【符号の説明】
【００１８】
１：玉葱葉切り機，
１０：機体，１１：装着部，１１Ａ：マスト部，１１Ｂ：ロアピン，
１２：機体枠，１３：ブラケット，
２０：駆動軸，２１：切断刃，２２：伝動部，２２Ａ：入力軸，
３０：接地輪，３１：車輪枠，３２：シリンダ，
Ｔ：トラクタ，Ｗ：玉葱，Ｐ：畝
【図１】
2018174834.tif 000003
【図２】
2018174834.tif 000004
【図３】
2018174834.tif 000005
【手続補正書】
【提出日】平成29年7月13日(2017.7.13)
【手続補正１】
【補正対象書類名】特許請求の範囲
【補正対象項目名】全文
【補正方法】変更
【補正の内容】
【特許請求の範囲】
【請求項１】
トラクタの後部に装着され、玉葱の植え付け条方向に移動しながら、条間に倒伏した玉葱の葉を切断する作業機であって、
複数条を跨いで接地することで機体を支持する接地輪と、
トラクタのＰＴＯに接続する入力軸を備える伝動部からの動力で回転駆動されると共に条間方向に延設される駆動軸に装着され、条間に位置して移動方向に沿って縦回転する複数の切断刃とを備えることを特徴とする玉葱葉切り機。
【請求項２】
前記切断刃は、円盤形状であることを特徴とする請求項１記載の玉葱葉切り機。
【請求項３】
前記接地輪は、前記切断刃の地中への入り込み深さを調整するシリンダを介して前記機体に取り付けられていることを特徴とする請求項１又は２記載の玉葱葉切り機。
【手続補正２】
【補正対象書類名】明細書
【補正対象項目名】０００６
【補正方法】変更
【補正の内容】
【０００６】
このような課題を解決するために、本発明は、以下の構成を具備するものである。
トラクタの後部に装着され、玉葱の植え付け条方向に移動しながら、条間に倒伏した玉葱の葉を切断する作業機であって、複数条を跨いで接地することで機体を支持する接地輪と、トラクタのＰＴＯに接続する入力軸を備える伝動部からの動力で回転駆動されると共に条間方向に延設される駆動軸に装着され、条間に位置して移動方向に沿って縦回転する複数の切断刃とを備えることを特徴とする玉葱葉切り機。
【手続補正３】
【補正対象書類名】明細書
【補正対象項目名】０００９
【補正方法】変更
【補正の内容】
【０００９】
以下、図面を参照して本発明の実施形態を説明する。以下の説明で、異なる図における同一符号は同一機能の部位を示しており、各図における重複説明は適宜省略する。以下の説明では、トラクタ直装式の玉葱葉切り機を説明する。
【手続補正４】
【補正対象書類名】明細書
【補正対象項目名】００１１
【補正方法】変更
【補正の内容】
【００１１】
また、玉葱葉切り機１は、左右のブラケット１３に軸支された駆動軸２０を備えている。駆動軸２０は、条間方向（水平方向）に延設されており、複数の切断刃２１が装着されている。切断刃２１は、玉葱の植え付け条間に位置して、機体１０の移動方向に沿って縦回転する。駆動軸２０は、機体枠１２に支持される伝動部２２からの動力で回転駆動されるものであり、伝動部２２は、トラクタのＰＴＯからの動力がユニバーサルジョインなどを介して入力される入力軸２２Ａを備えている。
【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
トラクタの後部に装着され、玉葱の植え付け条方向に移動しながら、条間に倒伏した玉葱の葉を切断する作業機であって、
複数条を跨いで接地することで機体を支持する接地輪と、
トラクタのＰＴＯに接続する入力軸を備える伝動部からの動力で回転駆動されると共に条間方向に延設される駆動軸に装着され、条間に位置して移動方向に沿って縦回転する複数の円盤形状の切断刃とを備え、
前記切断刃は、その下部が地中に入った状態で作業することで、条間で絡み合う葉を条間にて切断することを特徴とする玉葱葉切り機。
【請求項２】
前記接地輪は、前記切断刃の地中への入り込み深さを調整するシリンダを介して前記機体に取り付けられていることを特徴とする請求項１記載の玉葱葉切り機。
【手続補正２】
【補正対象書類名】明細書
【補正対象項目名】０００６
【補正方法】変更
【補正の内容】
【０００６】
このような課題を解決するために、本発明は、以下の構成を具備するものである。
トラクタの後部に装着され、玉葱の植え付け条方向に移動しながら、条間に倒伏した玉葱の葉を切断する作業機であって、複数条を跨いで接地することで機体を支持する接地輪と、トラクタのＰＴＯに接続する入力軸を備える伝動部からの動力で回転駆動されると共に条間方向に延設される駆動軸に装着され、条間に位置して移動方向に沿って縦回転する複数の円盤形状の切断刃とを備え、前記切断刃は、その下部が地中に入った状態で作業することで、条間で絡み合う葉を条間にて切断することを特徴とする玉葱葉切り機。